(57)【要約】【課題】画質の劣化を抑えつつ、伝送、蓄積などの際に削除されないように、映像領域に情報を埋め込むことができる情報多重化装置を提供すること。【解決手段】情報多重化装置は、輝度値と色差値とを用いる映像信号を取得する映像信号取得部と、情報を取得する情報取得部と、映像信号取得部が取得した映像信号に含まれている色ベクトルのうち、予め決められた範囲に含まれている変換対象色ベクトルを、情報取得部が取得した情報に応じた色ベクトルに変換する色変換部とを具備する。色変換部によって変換された色ベクトルは、ＲＧＢ信号の対象領域に含まれていない範囲内の色ベクトルと、変換対象色ベクトルとのうちのいずれかである。【選択図】図１
2015220734.tif 000002
【特許請求の範囲】
【請求項１】
輝度信号と２つの色差信号で表された色ベクトルが取り得る範囲を第１の範囲としたときに、前記第１の範囲である映像信号であって、前記第１の範囲の一部である第２の範囲が、表示対象の色に対応付けられている映像信号を取得する映像信号取得部と、
情報を取得する情報取得部と、
前記映像信号取得部が取得した映像信号に含まれている色ベクトルのうち、予め決められた第３の範囲に含まれている変換対象色ベクトルを、前記情報取得部が取得した情報に応じた色ベクトルに変換する色変換部と
を具備し、
前記色変換部によって変換された色ベクトルは、前記第１の範囲のうち、前記第２の範囲に含まれていない範囲内の色ベクトルと、前記変換対象色ベクトルとのうちのいずれかであることを特徴とする情報多重化装置。
【請求項２】
前記第３の範囲に含まれる全ての色ベクトルは、前記第２の範囲の端に位置することを特徴とする請求項１に記載の情報多重化装置。
【請求項３】
前記色変換部によって変換された色ベクトルは、前記変換対象色ベクトルとの距離が、前記第３の範囲に含まれる前記変換対象色ベクトル以外のベクトルとの距離よりも、小さいことを特徴とする請求項２に記載の情報多重化装置。
【請求項４】
輝度信号と２つの色差信号で表された色ベクトルが取り得る範囲を第１の範囲としたときに、前記第１の範囲である映像信号を取得する映像信号取得部と、
前記映像信号取得部が取得した映像信号に含まれている色ベクトルのうち、予め決められた所定の範囲に含まれている変換済み色ベクトルを、表示対象の色の変換先色ベクトルに変換するとともに、前記変換済み色ベクトルが表す情報を抽出する情報抽出・色逆変換部と
を具備し、
前記情報抽出・色逆変換部は、前記変換済み色ベクトルが、前記所定の範囲の内のどの位置に在るかによって前記情報を決定すること
を特徴とする情報分離装置。
【請求項５】
前記変換済み色ベクトルは、前記第１の範囲の一部であり、かつ、表示対象の色に対応付けられている第２の範囲の端に位置することを特徴とする請求項４に記載の情報分離装置。
【請求項６】
前記変換済み色ベクトルは、前記変換対象色ベクトルとの距離が、変換対象色ベクトルになり得る他の色ベクトルとの距離よりも、小さいことを特徴とする請求項５に記載の情報分離装置。
【請求項７】
コンピュータを、請求項１から請求項３のいずれか一項に記載の情報多重化装置として機能させるためのプログラム。
【請求項８】
コンピュータを、請求項４から請求項６のいずれか一項に記載の情報分離装置として機能させるためのプログラム。
【発明の詳細な説明】
【技術分野】
【０００１】
本発明は、情報多重化装置、情報分離装置、およびそれらのプログラムに関する。
【背景技術】
【０００２】
従来、映像に情報を埋め込む方法として、映像そのものの領域に対して情報を埋め込む方法や、映像の枠外の領域に対して情報を埋め込む方法がある。映像そのものの領域に対して情報を埋め込む方法としては、例えば、視覚的に気付き難いようなパターンを空間的、時間的、あるいはその両方に対して重畳する電子透かし技術を使うものがある。
【０００３】
また、映像の枠外の領域に対して情報を埋め込む方法としては、アナログ映像信号の垂直帰線消去期間に文字情報などの補助情報を付加する方法がある。また、デジタル映像信号であるＳＤＩ（Serial Digital Interface）においても、アンシラリデータ（Ancillary Data）として補助情報を伝送するための領域が確保されている。
【先行技術文献】
【特許文献】
【０００４】
【特許文献１】特許第５０６３６９０号公報
【発明の概要】
【発明が解決しようとする課題】
【０００５】
しかしながら、電子透かし技術を用いて、映像に情報を埋め込む方法においては、映像そのものにパターンが重畳されるため、画質が劣化したり、ノイズとして見えたりすることがあるという問題がある。一方、垂直帰線消去期間に情報を埋め込んだり、アンシラリデータとして埋め込んだりする場合には、伝送、蓄積などされる際に、伝送装置が、情報が埋め込まれている映像信号区間を削除してしまうことがある。
【０００６】
本発明は、このような事情に鑑みてなされたもので、画質の劣化を抑えつつ、伝送、蓄積などの際に削除されないように、映像領域に情報を埋め込むことができる情報多重化装置、情報分離装置、およびそれらのプログラムを提供する。
【課題を解決するための手段】
【０００７】
（１）この発明は上述した課題を解決するためになされたもので、本発明の一態様は、輝度信号と２つの色差信号で表された色ベクトルが取り得る範囲を第１の範囲としたときに、前記第１の範囲である映像信号であって、前記第１の範囲の一部である第２の範囲が、表示対象の色に対応付けられている映像信号を取得する映像信号取得部と、情報を取得する情報取得部と、前記映像信号取得部が取得した映像信号に含まれている色ベクトルのうち、予め決められた第３の範囲に含まれている変換対象色ベクトルを、前記情報取得部が取得した情報に応じた色ベクトルに変換する色変換部とを具備し、前記色変換部によって変換された色ベクトルは、前記第１の範囲のうち、前記第２の範囲に含まれていない範囲内の色ベクトルと、前記変換対象色ベクトルとのうちのいずれかであることを特徴とする情報多重化装置である。
【０００８】
（２）また、本発明の他の態様は、（１）に記載の情報多重化装置であって、前記第３の範囲に含まれる全ての色ベクトルは、前記第２の範囲の端に位置することを特徴とする。
【０００９】
（３）また、本発明の他の態様は、（２）に記載の情報多重化装置であって、前記色変換部によって変換された色ベクトルは、前記変換対象色ベクトルとの距離が、前記第３の範囲に含まれる前記変換対象色ベクトル以外のベクトルとの距離よりも、小さいことを特徴とする。
【００１０】
（４）また、本発明の他の態様は、輝度信号と２つの色差信号で表された色ベクトルが取り得る範囲を第１の範囲としたときに、前記第１の範囲である映像信号を取得する映像信号取得部と、前記映像信号取得部が取得した映像信号に含まれている色ベクトルのうち、予め決められた所定の範囲に含まれている変換済み色ベクトルを、表示対象の色の変換先色ベクトルに変換するとともに、前記変換済み色ベクトルが表す情報を抽出する情報抽出・色逆変換部とを具備し、前記情報抽出・色逆変換部は、前記変換済み色ベクトルが、前記所定の範囲の内のどの位置に在るかによって前記情報を決定することを特徴とする情報分離装置である。
【００１１】
（５）また、本発明の他の態様は、（４）に記載の情報分離装置であって、前記変換済み色ベクトルは、前記第１の範囲の一部であり、かつ、表示対象の色に対応付けられている第２の範囲の端に位置することを特徴とする。
【００１２】
（６）また、本発明の他の態様は、（５）に記載の情報分離装置であって、前記変換済み色ベクトルは、前記変換対象色ベクトルとの距離が、変換対象色ベクトルになり得る他の色ベクトルとの距離よりも、小さいことを特徴とする。
【００１３】
（７）また、本発明の他の態様は、コンピュータを、（１）から（３）のいずれか一つに記載の情報多重化装置として機能させるためのプログラム。
【００１４】
（８）また、本発明の他の態様は、コンピュータを、（４）から（６）のいずれか一つに記載の情報分離装置として機能させるためのプログラム。
【発明の効果】
【００１５】
この発明によれば、画質の劣化を抑えつつ、伝送、蓄積などの際に削除されないように、映像領域に情報を埋め込むことができる。
【図面の簡単な説明】
【００１６】
【図１】この発明の一実施形態による情報多重・分離システムの構成を示す概略ブロック図である。
【図２】同実施形態における映像信号Ｙｃを説明する色空間の斜視図である。
【図３】同実施形態における映像信号Ｙｃを説明する色空間の断面図である。
【図４】同実施形態における情報多重化装置１０の構成を示す概略ブロック図である。
【図５】同実施形態における変換テーブル記憶部１４が記憶する変換テーブルの例を示す図である。
【図６】同実施形態における色空間の特定の輝度値における断面図である。
【図７】同実施形態における情報分離装置３０の構成を示す概略ブロック図である。
【発明を実施するための形態】
【００１７】
以下、図面を参照して、本発明の実施の形態について説明する。図１は、この発明の一実施形態による情報多重・分離システムの構成を示す概略ブロック図である。本実施形態における情報多重・分離システムは、映像信号Ｙｃに情報Ｍを多重した映像信号Ｙｍを伝送する。そして、情報多重・分離システムは、伝送された映像信号Ｙｍから、情報Ｍｎと映像信号Ｙｎとを分離する。情報Ｍｎ、映像信号Ｙｎは、それぞれ、情報Ｍ、映像信号Ｙｃを近似したもの、もしくは情報Ｍ、映像信号Ｙｃと同一である。
【００１８】
情報多重・分離システムは、情報多重化装置１０、映像伝送システム２０、情報分離装置３０を含む。情報多重化装置１０は、映像信号Ｙｃに、情報Ｍを多重し、映像信号Ｙｍを生成する。映像伝送システム２０は、映像信号Ｙｍを伝送する。情報分離装置３０は、映像伝送システム２０が伝送した映像信号Ｙｍを分離して、情報多重化装置１０が多重した情報Ｍと映像信号Ｙｃとに、それぞれ近い、もしくは同一の情報Ｍｎ、映像信号Ｙｎを出力する。
【００１９】
映像信号Ｙｃは、輝度値Ｙ、青色の色差値Ｃｂ、赤色の色差値Ｃｒで、映像を構成する画素の色を表す信号である。情報Ｍは、字幕など、映像に関連する情報であってもよいし、映像に無関係な情報であってもよい。映像信号Ｙｍ、Ｙｎは、映像信号Ｙｃと同じ信号形式の信号である。
【００２０】
なお、映像伝送システム２０に変えて、映像信号Ｙｍを蓄積する映像蓄積システムを有していてもよい。その場合、映像蓄積システムは、情報多重化装置１０が生成した映像信号Ｙｍを蓄積し、任意のタイミングで、蓄積していた映像信号Ｙｍを情報分離装置３０に入力する。なお、映像伝送システム２０や、映像蓄積システムは、ＭＰＥＧ（Moving Picture Experts Group）−２、Ｈ．２６４など、非可逆な情報圧縮方式で、映像信号Ｙｍに対して符号化を行った後に、復号したものを、出力するようにしてもよい。ただし、その場合、情報分離装置３０にて分離される情報と、映像信号とは、非可逆な情報圧縮方式による劣化の影響を受ける。
【００２１】
図２は、映像信号Ｙｃを説明する色空間の斜視図である。映像信号Ｙｃは、輝度値Ｙ、青色の色差値Ｃｂ、赤色の色差値Ｃｒの３つを要素とする色ベクトルにより、画素の色を表している。輝度値Ｙ、青色の色差値Ｃｂ、赤色の色差値Ｃｒの各々に、取り得る範囲があるので、この色ベクトルが取り得る範囲１００（以降、色域Ａという）は、直方体となる。一方、ディスプレイ装置などで表示対象となっている色の範囲１１０（以降、色域Ｂという）は、色域Ａの一部分である。この表示対象となっている色の範囲１１０は、テレビジョンカメラなどで撮像することで生成される色ベクトルの範囲でもあるし、赤緑青（ＲＧＢ）の３つの画素値で表されるＲＧＢ信号により表現可能な色の範囲でもある。したがって、色域Ｂは、赤色Ｋｒ、緑色Ｋｇ、および青色Ｋｂの軸を辺に持つ六面体となっている。
【００２２】
このため、映像信号Ｙｃを扱うことができる映像伝送システム２０などは、色域Ａに含まれる色ベクトルであれば、そのまま扱うことができるが、映像信号Ｙｃに、色域Ｂ外の色ベクトルは含まれていない。そこで、情報多重化装置１０は、映像信号Ｙｃに含まれている色ベクトルを、色域Ａ内であり、かつ、色域Ｂ外の色ベクトル、あるいはその色ベクトルそのもののうち、情報Ｍに応じたものに変換する。
【００２３】
図３は、映像信号Ｙｃを説明する色空間の断面図である。例えば、輝度値Ｙがある値の平面による断面を考えると、色域Ａ（範囲１００）の断面は、四角形２００となり、色域Ｂ（範囲１１０）の断面は、多角形２１０（図２の場合は３角形）となる。
【００２４】
図４は、情報多重化装置１０の構成を示す概略ブロック図である。情報多重化装置１０は、情報取得部１１、映像信号取得部１２、色変換部１３、変換テーブル記憶部１４、映像信号出力部１５を含む。情報取得部１１は、情報Ｍを取得する。例えば、情報取得部１１は、他装置から情報Ｍを受信する、記録媒体に格納されている情報Ｍを読み出すなどの方法で、情報Ｍを取得する。
【００２５】
映像信号取得部１２は、映像信号Ｙｃを取得する。例えば、映像信号取得部１２は、他装置から映像信号Ｙｃを受信する、記録媒体に格納されている映像信号Ｙｃを読み出す、他の形式の映像信号を変換するなどの方法で、映像信号Ｙｃを取得する。色変換部１３は、映像信号Ｙｃに含まれる色ベクトルを、情報Ｍと、変換テーブル記憶部１４が記憶するテーブルとを参照して、変換する。なお、色変換部１３は、色ベクトルが特定の範囲（後述する色域Ｂ１）に含まれているときにのみ、情報Ｍを含める変換を行い、情報Ｍを含める変換を行う度に、情報Ｍのうち参照する部分を変更する。本実施形態では、情報Ｍの先頭から順に２ビットずつ参照する。
【００２６】
変換テーブル記憶部１４は、映像信号Ｙｃの色ベクトルと、情報Ｍとの組み合わせに、映像信号Ｙｍにおける色ベクトルを対応付けたテーブルを記憶する。変換テーブル記憶部１４が記憶するテーブルは、色域Ｂのうち、一部のみ（以降、色域Ｂ１という）を、変換対象とし、その他は、色ベクトルをそのままにするようになっていてもよい。映像信号出力部１５は、色変換部１３が変換した色ベクトルの映像信号Ｙｍを生成し、出力する。
【００２７】
なお、色域Ｂ１の要素数は、色域Ａ、かつ、色域Ｂ外の要素数以下であることが好ましい。これは、情報分離装置３０が出力する映像信号Ｙｎを、情報多重化装置１０が取得した映像信号Ｙｃと等しくするための必要条件である。したがって、色域Ａの要素数が色域Ｂの要素数の２倍以上であるときは、色域Ｂ１を色域Ｂと一致させることができる。
【００２８】
図５は、変換テーブル記憶部１４が記憶する変換テーブルの例を示す図である。図５に示すように、変換テーブルは、映像信号Ｙｃの輝度値Ｙ、青色の色差値Ｃｂ、赤色の色差値Ｃｒと、情報Ｍとの組み合わせと、映像信号Ｙｍの輝度値ＭＹ、青色の色差値ＭＣｂ、赤色の色差値ＭＣｒとを対応付けている。説明の簡易のために、図５では、輝度値、青色の色差値、赤色の色差値ともに、０から７の整数値をとる場合を例にする。例えば、映像信号Ｙｃの輝度値Ｙ「６」、青色の色差値Ｃｂ「３」、赤色の色差値Ｃｒ「２」と、情報Ｍ「０」との組み合わせには、映像信号Ｙｍの輝度値ＭＹ「６」、青色の色差値ＭＣｂ「３」、赤色の色差値ＭＣｒ「２」が対応付けられている。また、映像信号Ｙｃの輝度値Ｙ「６」、青色の色差値Ｃｂ「３」、赤色の色差値Ｃｒ「２」と、情報Ｍ「１」との組み合わせには、映像信号Ｙｍの輝度値ＭＹ「６」、青色の色差値ＭＣｂ「２」、赤色の色差値ＭＣｒ「１」が対応付けられている。
【００２９】
図６は、色空間の特定の輝度値における断面図である。説明の簡易のために、図６では、青色の色差値Ｃｂ、赤色の色差値Ｃｒともに、０から７の整数値をとる場合を例にする。図６において、各矩形は色ベクトルを表す。網掛けした矩形は、表示可能な色の範囲である範囲ＣＰに含まれている色ベクトルである。これら網掛けした矩形のうち、色変換部１３による変換の対象となっている変換対象色ベクトルは、色ベクトルＳ１０、Ｓ２０、Ｓ３０、Ｓ４０、Ｓ５０、Ｓ６０である。色ベクトルＢ０は、範囲ＣＰに含まれているが、変換の対象となっていない色ベクトルである。
【００３０】
また、範囲ＣＰ外の色ベクトルのうち、色ベクトルＳ１１、Ｓ１２、Ｓ１３は、それぞれ、情報Ｍが「１」、「２」、「３」であるときの、色ベクトルＳ１０の変換後の色ベクトルである。同様に、色ベクトルＳ２１、Ｓ２２、Ｓ２３は、それぞれ、情報Ｍが「１」、「２」、「３」であるときの、色ベクトルＳ２０の変換後の色ベクトルである。色ベクトルＳ３１〜Ｓ６３も同様である。
【００３１】
このように、変換対象の色ベクトルＳ１０、Ｓ２０、Ｓ３０、Ｓ４０、Ｓ５０、Ｓ６０は、範囲ＣＰの端に位置している方が、好ましい。これは、映像信号Ｙｍが、そのまま表示装置に入力されたときに、映像信号Ｙｃが入力されたときに表示する映像と近いものとなることがあるからである。なぜなら、一般的に表示装置は、表示可能な色以外の色ベクトルを、クリッピングして、表示可能な色の範囲のうち、端の色に変換するからである。
なお、本実施形態において、範囲ＣＰの端とは、範囲ＣＰ内のうち、上下左右に隣接する色ベクトルのうち、いずれかが範囲ＣＰに属していない位置である。なお、上下左右のみでなく、右上、左上、右下、左下も含んでいてもよい。
【００３２】
さらに、変換対象の色ベクトルを変換した変換済み色ベクトルは、範囲ＣＰの重心ＣＣと、変換対象の色ベクトルとを通る直線に近いものであることが好ましい。これは、上述したように、表示装置がクリッピングを行ったときに、変換済み色ベクトルが、元の変換対象の色ベクトルそのもの、もしくは、近いものにクリッピングされる可能性が高くなるからである。また、このようにすることで、映像信号Ｙｍに対して、ＭＰＥＧ（Moving Picture Experts Group）−２などの符号化と復号とを行ったときに、符号化による劣化の影響が大きくなるのを防いでくれることがある。
【００３３】
図６の例では、変換済み色ベクトルは、変換元の変換対象の色ベクトルとの距離が、他の変換対象の色ベクトルとの距離よりも小さくしている。例えば、変換対象の色ベクトルＳ１０、Ｓ２０、Ｓ３０、Ｓ４０、Ｓ５０、Ｓ６０のうち、変換済み色ベクトルＳ２１に最も近いのは、変換元の変換対象色ベクトルＳ２０である。これにより、変換対象の色ベクトルを変換した変換済み色ベクトルが、範囲ＣＰの重心ＣＣと、変換対象の色ベクトルとを通る直線に近いものとなる。なお、距離として、ユークリッド距離を用いてもよいし、その他の距離を用いてもよい。
【００３４】
図７は、情報分離装置３０の構成を示す概略ブロック図である。情報分離装置３０は、映像信号取得部３１、情報抽出・色逆変換部３２、逆変換テーブル記憶部３３、情報出力部３４、映像信号出力部３５を含む。映像信号取得部３１は、情報多重化装置１０により情報が多重化された映像信号Ｙｍを取得する。情報抽出・色逆変換部３２は、逆変換テーブル記憶部３３が記憶するテーブルを参照して、映像信号Ｙｍに含まれる色ベクトルから、情報を抽出し、その色ベクトルを、表示可能な色の色ベクトルに変換する。
【００３５】
この変換は、図４の色変換部１３と逆の変換である。したがって、情報抽出・色逆変換部３２が変換の対象とする色ベクトルは、色変換部１３が変換した色ベクトルが取り得る範囲の色ベクトルとなる。色変換部１３が変換した色ベクトルが取り得る範囲は、色域Ａのうち、色域Ｂ以外の部分と、色変換部１３による変換の対象となっている色ベクトルである。
【００３６】
逆変換テーブル記憶部３３は、変換テーブル記憶部１４と同様のテーブルを記憶する。ただし、逆変換テーブル記憶部３３が記憶するテーブルが参照される順序は、変換テーブル記憶部１４が記憶するテーブルとは、逆である。逆変換テーブル記憶部３３が記憶するテーブルは、映像信号Ｙｍの輝度値ＭＹ、色差値ＭＣｂ、ＭＣｒの組合せに対して、情報Ｍｎと、映像信号Ｙｎの輝度値Ｙ、色差値Ｃｂ、Ｃｒが取得される。情報出力部３４は、情報抽出・色逆変換部３２により抽出された情報を、抽出された順に連結して情報Ｍを復元し、情報Ｍｎとして出力する。映像信号出力ｂ３５は、情報抽出・色逆変換部３２により色ベクトルが変換された映像信号を、映像信号Ｙｎとして出力する。
【００３７】
なお、本実施形態では、色ベクトルを変換する際に、輝度値はそのままとしたが、輝度値も変換するようにしてもよい。
また、本実施形態では、色変換部１３は、色ベクトルを変換する度に、情報Ｍのうち参照する部分を変更しているが、所定の回数変換する度に、参照する部分を変更するなどしてもよい。あるいは、色変換部１３は、偶数回目の変換で参照する部分と、奇数回目の変換で参照する部分とが、一部重複していてもよい。このようにすることで、情報分離装置３０にて情報を分離する際に、分離した情報に誤りが含まれている否かの判定や、誤りの訂正を行うことができる。
【００３８】
このように、情報多重化装置は、映像信号に含まれている色ベクトルのうち、予め決められた第３の範囲（例えば、図６の範囲ＣＰの端）に含まれている変換対象色ベクトルを、情報に応じた色ベクトルに変換する色変換部１３を有する。この映像信号は、色を表す色ベクトルが取り得る範囲が第１の範囲（例えば、図２の範囲１００（色域Ａ））であり、第１の範囲の一部である第２の範囲（例えば、図２の範囲１１０（色域Ｂ））が、表示対象の色に対応付けられている。そして、色変換部１３によって変換された色ベクトルは、第１の範囲のうち、第２の範囲に含まれていない範囲内の色ベクトルと、変換対象色ベクトルとのうちのいずれかである。
【００３９】
これにより、画質の劣化を抑えつつ、伝送、蓄積などの際に削除されないように、映像領域に情報を埋め込むことができる。
【００４０】
また、情報分離装置３０は、映像信号に含まれている色ベクトルのうち、予め決められた所定の範囲（色変換部１３が変換した色ベクトルが取り得る範囲）に含まれている変換済み色ベクトルを、表示対象の色の変換対象色ベクトルに変換するとともに、この変換済み色ベクトルが表す情報を抽出する情報抽出・色逆変換部３２を有する。情報抽出・色逆変換部３２は、変換済み色ベクトルが、上述の所定の範囲の内のどの位置に在るかによって、上述の情報を決定する。
【００４１】
これにより、画質の劣化を抑えつつ、伝送、蓄積などの際に削除されないように、映像領域に埋め込まれた情報を分離することができる。
【００４２】
さらに、情報多重化装置１０、情報分離装置３０において、第３の範囲に含まれる全ての色ベクトルは、第２の範囲の端に位置する。
これにより、情報が埋め込まれた映像信号を、表示装置で表示したときの色の変化を抑えることができる。これは、表示装置においては、第３の範囲に含まれる色ベクトルは、クリッピングにより第２の範囲の色ベクトルに変換されて表示されることが多いためである。
【００４３】
また、図１における情報多重化装置１０、情報分離装置３０の機能を実現するためのプログラムをコンピュータ読み取り可能な記録媒体に記録して、この記録媒体に記録されたプログラムをコンピュータシステムに読み込ませ、実行することにより情報多重化装置１０、情報分離装置３０を実現してもよい。なお、ここでいう「コンピュータシステム」とは、ＯＳや周辺機器等のハードウェアを含むものとする。
【００４４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４５】
また、上述した図１における情報多重化装置１０、情報分離装置３０の各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００４６】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００４７】
１０…情報多重化装置
１１…情報取得部
１２…映像信号取得部
１３…色変換部
１４…変換テーブル記憶部
１５…映像信号出力部
２０…映像伝送システム
３０…情報分離装置
３１…映像信号取得部
３２…情報抽出・色逆変換部
３３…逆変換テーブル記憶部
３４…情報出力部
３５…映像信号出力部
【図１】
2015220734.tif 000003
【図２】
2015220734.tif 000004
【図３】
2015220734.tif 000005
【図４】
2015220734.tif 000006
【図５】
2015220734.tif 000007
【図６】
2015220734.tif 000008
【図７】
2015220734.tif 000009